(57)【要約】【課題】心を動かしたシーンを人と共有し、その反応を簡単に確認できることにより、ビジュアルコミュニケーションを活性化できる画像処理装置、画像処理方法、及び画像処理プログラムを提供する。【解決手段】画像処理装置１は、制御部２と、撮影部３と、記憶部４と、入力部５と、表示部６と、通信部７と、とからなる。インターネット等の通信網を利用してサーバー９に投稿された画像２１と画像２１に対するユーザーの反応を示す反応情報３０を通信部７から取得する。取得された反応情報３０に基づいて、制御部２は、各画像２１の優先番号を決定し、表示部６の画像表示アプリケーション１４内に形成された画像表示領域２０内に画像２１と反応情報４０と付加情報３０とを表示する。【選択図】図２
2014071480.tif 000002
【特許請求の範囲】
【請求項１】
通信網を通じて、サーバーに投稿した画像と、当該画像に対するユーザーの反応を示す反応情報とを受信する通信部と、
当該反応情報および他の画像に対する反応情報から当該画像の優先番号を決定する制御部と、
各々優先順位が付与された複数の画像表示領域が形成された画像表示アプリケーションを表示する表示部と、を備え、
前記制御部は、各画像表示領域の優先順位および当該画像の優先番号を参照して、当該画像および、対応する反応情報または当該反応情報に基づく付加情報の少なくともいずれかを、所定の画像表示領域に表示する、
画像処理装置。
【請求項２】
請求項１に記載の画像処理装置であって、
各画像表示領域にランクが付与され、
前記制御部は、前記ランクに応じて各画像表示領域に表示される反応情報または付加情報の種類を変化させる、
画像処理装置。
【請求項３】
請求項２に記載の画像処理装置であって、
前記表示部に表示された画像表示アプリケーションの表示サイズは変更可能であり、
前記制御部は、前記表示サイズに応じて各画像表示領域の大きさ、数、ランクの少なくとも一つを変更させる、
画像処理装置。
【請求項４】
請求項１から３のいずれか１項に記載の画像処理装置であって、
前記制御部は、前記付加情報の種類を変化させて各画像表示領域の表示態様を変化させる、
画像処理装置。
【請求項５】
請求項１から４のいずれか１項に記載の画像処理装置であって、
前記制御部は、各画像表示領域の表示内容を更新する際、ランクの高い画像表示領域から順に表示する、
画像処理装置。
【請求項６】
請求項１から５のいずれか１項に記載の画像処理装置であって、
前記通信部は、サーバーに投稿した画像が固有する画像固有情報を受信し、
前記制御部は、当該画像固有情報と、当該反応情報および他の画像に対する反応情報から当該画像の優先番号を算出する、
画像処理装置。
【請求項７】
請求項１から６のいずれか１項に記載の画像処理装置であって、
複数の画像および対応する反応情報を記憶する記憶部をさらに備え、
前記制御部は、サーバーに投稿した当該画像の当該反応情報および前記記憶部に記憶された他の画像に対する反応情報から当該画像の優先番号を算出する、
画像処理装置。
【請求項８】
請求項１から７のいずれか１項に記載の画像処理装置を備える携帯端末。
【請求項９】
通信網を通じて、サーバーに投稿した画像と、当該画像に対するユーザーの反応を示す反応情報とを受信するステップと、
当該反応情報および他の画像に対する反応情報から当該画像の優先番号を決定するステップと、
各々優先順位が付与された複数の画像表示領域が形成された画像表示アプリケーションを表示部に表示するステップと、
各画像表示領域の優先順位および当該画像の優先番号を参照して、当該画像および、対応する反応情報または当該反応情報に基づく付加情報の少なくともいずれかを、所定の画像表示領域に表示するステップと、
を備える画像処理方法。
【請求項１０】
通信網を通じて、サーバーに投稿した画像と、当該画像に対するユーザーの反応を示す反応情報とを受信する手順と、
当該反応情報および他の画像に対する反応情報から当該画像の優先番号を決定する手順と、
各々優先順位が付与された複数の画像表示領域が形成された画像表示アプリケーションを表示部に表示する手順と、
各画像表示領域の優先順位および当該画像の優先番号を参照して、当該画像および、対応する反応情報または当該反応情報に基づく付加情報の少なくともいずれかを、所定の画像表示領域に表示する手順と、
をコンピュータに実行させる画像処理プログラム。
【発明の詳細な説明】
【技術分野】
【０００１】
本発明は、ビジュアルコミュニケーションを活用した画像処理装置、画像処理方法、及び画像処理プログラムに関する。
【背景技術】
【０００２】
近年、ＩＰ（Internet Protocol）技術の革新とブロードバンドネットワークの普及により、ネットワークを通じて図や写真、映像等を中心とした視覚による情報伝達であるビジュアルコミュニケーションが注目されてきている。例えば、特許文献１には、ＳＮＳ（Social Networking Service；ソーシャル・ネットワーキング・サービス）を通じてニュースを配信しリンクファイルを結びつけることにより、画像やテキストメッセージ、ビデオクリップ等の視覚情報を取得できることが開示されている。また、特許文献２には、表示部に領域を有するウィジェットが表示され、ウィジェット内に自分の友人等がリモートサーバーにデータをアップロードしたことを知らせるアイテムが自動的に表示されることが開示されている。
【先行技術文献】
【特許文献】
【０００３】
【特許文献１】特許第４８６６４６３号公報
【特許文献２】特開２０１０−１９８６０４号公報
【発明の概要】
【発明が解決しようとする課題】
【０００４】
しかしながら、先行技術では、自分が、例えばＳＮＳ等に投稿（アップロード）した写真（画像）に対して、ユーザー（投稿者自身および他人を含む）の反応がどの程度であったかを視覚的、直感的に確認できない。また、ウィジェットという表示形態を用いる場合、スペースに制限があり、スクロール等のユーザー操作なしで反応情報を確認できることが望ましいが、単に更新のあった画像に対してアイコンを並べているに過ぎず、ビジュアルコミュニケーション活用とは言い難いという課題がある。
【０００５】
本発明は、上記事由に鑑みてなされたものであり、その目的は、心を動かしたシーンを人と共有し、その反応を簡単に確認できることにより、ビジュアルコミュニケーションを活性化できる画像処理装置、画像処理方法、及び画像処理プログラムを提供することにある。
【課題を解決するための手段】
【０００６】
本発明の画像処理装置は、通信網を通じて、サーバーに投稿した画像と、当該画像に対するユーザーの反応を示す反応情報とを受信する通信部と、当該反応情報および他の画像に対する反応情報から当該画像の優先番号を決定する制御部と、各々優先順位が付与された複数の画像表示領域が形成された画像表示アプリケーションを表示する表示部と、を備え、前記制御部は、各画像表示領域の優先順位および当該画像の優先番号を参照して、当該画像および、対応する反応情報または当該反応情報に基づく付加情報の少なくともいずれかを、所定の画像表示領域に表示する。
【０００７】
例えば、前記画像処理装置は、各画像表示領域にランクが付与され、前記制御部は、前記ランクに応じて各画像表示領域に表示される反応情報または付加情報の種類を変化させる。
【０００８】
例えば、前記画像処理装置は、前記表示部に表示された画像表示アプリケーションの表示サイズは変更可能であり、前記制御部は、前記表示サイズに応じて各画像表示領域の大きさ、数、ランクの少なくとも一つを変更させる。
【０００９】
例えば、前記制御部は、前記付加情報の種類を変化させて各画像表示領域の表示態様を変化させる。
【００１０】
例えば、前記制御部は、各画像表示領域の表示内容を更新する際、ランクの高い画像表示領域から順に表示する。
【００１１】
例えば、前記通信部は、サーバーに投稿した画像が固有する画像固有情報を受信し、前記制御部は、当該画像固有情報と、当該反応情報および他の画像に対する反応情報から当該画像の優先番号を算出する。
【００１２】
例えば、前記画像処理装置は、複数の画像および対応する反応情報を記憶する記憶部をさらに備え、前記制御部は、サーバーに投稿した当該画像の当該反応情報および前記記憶部に記憶された他の画像に対する反応情報から当該画像の優先番号を算出する。
【００１３】
例えば、前記画像処理装置は、携帯端末に搭載される。
【００１４】
本発明の画像処理装置の画像処理方法は、通信網を通じて、サーバーに投稿した画像と、当該画像に対するユーザーの反応を示す反応情報とを受信するステップと、当該反応情報および他の画像に対する反応情報から当該画像の優先番号を決定するステップと、各々優先順位が付与された複数の画像表示領域が形成された画像表示アプリケーションを表示部に表示するステップと、各画像表示領域の優先順位および当該画像の優先番号を参照して、当該画像および、対応する反応情報または当該反応情報に基づく付加情報の少なくともいずれかを、所定の画像表示領域に表示するステップと、を備える。
【００１５】
本発明の画像処理装置の画像処理プログラムは、通信網を通じて、サーバーに投稿した画像と、当該画像に対するユーザーの反応を示す反応情報とを受信する手順と、当該反応情報および他の画像に対する反応情報から当該画像の優先番号を決定する手順と、各々優先順位が付与された複数の画像表示領域が形成された画像表示アプリケーションを表示部に表示する手順と、各画像表示領域の優先順位および当該画像の優先番号を参照して、当該画像および、対応する反応情報または当該反応情報に基づく付加情報の少なくともいずれかを、所定の画像表示領域に表示する手順と、をコンピュータに実行させる。
【発明の効果】
【００１６】
本発明によれば、サーバーに投稿した画像と画像に対するユーザーの反応を示す反応情報とを取得して、表示部に画像と反応情報とを表示することにより、投稿した画像とそれに対するユーザーの反応を容易に把握することが可能である。また、ユーザーの反応がどのぐらいであったかを視覚的、直感的に分かりやすく表示でき、限られたスペースの画像表示アプリケーション内に効率的に画像表示領域を表示できる。そして、この画像アプリケーションを利用することにより、ビジュアルコミュニケーションの活性化が可能である。
【図面の簡単な説明】
【００１７】
【図１】本発明に係る画像処理装置の一実施形態を示すブロック図。
【図２】（ａ）画像処理装置の表示部の一例を示す概念図、（ｂ）画像表示アプリケーション内に形成される複数の画像表示領域を説明するための概念図。
【図３】（ａ）各画像表示領域に表示された画像と、反応情報と、付加情報の一例を示す概念図、（ｂ）各画像表示領域に割り振られた優先順位とランクの一例を示す表示レイアウトの概念図。
【図４】複数のコメント内容が表示可能であることを示す概念図。
【図５】（ａ）画像の優先番号を決める条件の一例を示す優先番号テーブル、（ｂ）ランクにより表示される反応情報と付加情報の種類の一例を示すランクテーブル。
【図６】図５のランクテーブルに基づくランク毎の表示内容の一実施形態を示す概念図であり、（ａ）はランクＡ、（ｂ）ランクＢ、（ｃ）ランクＣの表示態様。
【図７】画像表示領域の表示位置、大きさ、優先順位及びランクの一例を示すレイアウトテーブル。
【図８】画像表示領域のレイアウト表示の実施例を示す概念図、（ａ）実施例１、（ｂ）実施例２、（ｃ）実施例３。
【図９】表示レイアウトの表示更新処理の一例を示すフローチャート図。
【図１０】各画像表示領域に配置される画像の画像抽出・配置処理の一例を示すフローチャート図。
【図１１】図１０の画像抽出・配置処理における、配置処理の詳細を示すフローチャート図。
【図１２】（ａ）付加情報の一つである太枠表示を示す概念図、（ｂ）付加情報の一つであるアニメーション表示を示す概念図、（ｃ）表示更新の変形例を示す概念図。
【図１３】画像表示アプリケーションの表示サイズの概念図、（ａ）変形例１、（ｂ）変形例２。
【発明を実施するための形態】
【００１８】
以下、本発明に係る画像処理装置、画像処理方法、及び画像処理プログラムの好適な実施形態を、図１〜図１３に基づいて詳述する。
【００１９】
図１は本発明に係る画像処理装置の一実施形態を示すブロック図である。
【００２０】
画像処理装置１は、制御部２と、撮影部３と、記憶部４と、入力部５と、表示部６と、通信部７と、からなる。画像処理装置１は、例えば、スマートフォンやタブレット等の携帯端末（携帯電話を含む）、ノートパソコン等のＰＣ（パーソナルコンピュータ）、等である。制御部２は、ＣＰＵ、ＲＡＭ、ＲＯＭ等を備えたマイクロプロセッサ構成を有し、ＲＯＭに格納されている制御プログラムにより、画像処理装置１全体の制御（演算、検索、抽出等を含む）を行うと共に、後述する各種処理機能の実行制御を行う。撮影部３は、被写体等を撮像するカメラを備え、ＣＣＤ、ＣＭＯＳセンサ等多数の画素（ピクセル）の集合体から成る撮像素子を備えている。記憶部４は、撮影部３等で撮影された画像、後述する各種テーブルや制御部２で実行するために必要な各種情報データ等を記憶する。
【００２１】
入力部５は、メインスイッチ、処理モード切換スイッチ、シャッターボタン、等を備え、これらのスイッチやボタンを操作すると各種信号が制御部２に送信される。表示部６は、液晶パネルや有機ＥＬパネル等のディスプレイであり、指やペンを接触させて各種の処理を行うＵＩ（ユーザーインターフェース）型のタッチパネルでもあり、撮影部３等で撮影された画像や各種操作を行う画面、後述する画像表示アプリケーション１４や画像表示領域２０、等を表示する。また、表示部６が、タッチパネル式であれば、入力部５の機能を備えていても良い。通信部７は、アンテナや変調・復調装置などを備えており、ＴＣＰ／ＩＰプロトコルによるインターネット等の通信網８と接続ができ、通信網８上のサーバー９との間で情報の送受信ができる。
【００２２】
図２（ａ）は、画像処理装置の表示部の一例を示す概念図であり、この実施例では、スマートフォンを一例としている。図２（ｂ）は、表示部に表示された画像表示アプリケーション内に形成される複数の画像表示領域を説明するための概念図である。
【００２３】
画像処理装置１の一つの筐体１１に設けられた表示部６は、表示画面１２と操作ボタン等の操作部１３とからなり、表示画面１２上には、例えば通常設定では待ち受け時に待機している画像表示アプリケーション１４（図中破線枠）と、複数のアプリケーションアイコン１５等が表示されているアプリ部１６が表示されている。また、操作部１３は入力部５を兼ねていても良い。そして、画像表示アプリケーション１４内には、表示内容の更新処理を実行する更新ボタン１４ａが配置され、複数の画像表示領域２０が形成され、画像表示領域２０には画像２１や画像２１に関する反応情報４０や付加情報３０（後述）が表示されている。
【００２４】
図１に示すように、画像２１は、インターネット等の通信網８に接続して通信網８上にあるサーバー９、例えば、ＳＮＳ等、に、ユーザーが投稿したものである。また、画像２１は、撮影部３等で撮影された写真等の静止画像やムービー等の動画、ソフト等で描いたイラスト、等である。画像２１は、反応情報４０の有無にかかわらず、撮影（作成）日時、投稿日時等の如き、画像が固有する画像固有情報５０を有する。図２（ｂ）の例では画像固有情報５０は表示されていないが、表示してもよい。
【００２５】
反応情報４０は、サーバー９に投稿した画像２１に対するユーザー（画像２１の投稿者および他人を含む）の反応を示す情報であり、サーバー９から通信網８を介して通信部７により取得できる情報である。ここでは反応情報４０は、サーバー９に保存され、サーバー９から直接取得可能な情報を意味し、例えば、投稿した画像に対するコメントそのもの、コメントの数、コメントしたユーザー名、当該画像をお気に入りとしたユーザーおよびその数等が含まれる。
【００２６】
反応情報４０の中でもコメントは代表例であり、図２（ｂ）では、反応情報４０として最新のコメント４０Ａが示されている。コメントには、画像２１に対する簡単な評価等のメッセージ（リプライ）、お気に入りの画像であれば「いいね！」、「お気に入り」等の文字、等が含まれる。メッセージは、メールの他、ＲＳＳ（例えばRich Site Summary：バージョンによって異なる）フィード、各種のＳＮＳ等で取得する。
【００２７】
そして、取得された反応情報４０に対応して、画像処理装置１の制御部２は表示部６に表示するための付加情報３０を生成する。すなわち、付加情報３０は、反応情報４０に基づいて画像処理装置１側で生成される情報であり、幾つかの種類がある。例えば、今までに到着したコメントの数を表す反応数３０Ａ、アバター画像３０Ｂ、未読等のアイコン（ＮＥＷアイコン）３０Ｃ、等である。反応数がサーバー９に保存され、サーバー９から直接可能な場合、反応数は反応情報となる。一方この例では、制御部２が、サーバー９から取得したコメントの情報に基づき、「コメント数８」の表示を加工して生成しているので、反応数３０Ａは付加情報である。反応数３０Ａは、コメント数、お気に入り数、画像２１のダウンロード回数やアクセス回数、等の合計値であるが、「コメント５  お気に入り１０」のように、内容によって分けて数を表示してもよい。アバター画像３０Ｂは、最新のコメント４０Ａを投稿したユーザーのアバター画像である。アイコン３０Ｃは、例えば、新着コメント等が未読であることを示す「ＮＥＷ」や最人気画像（いわゆるチャンピオン画像）を示すマーク等である。
【００２８】
図３（ａ）は、各画像表示領域に表示された画像、反応情報、付加情報の一例を示す概念図で、（ｂ）は、反応情報に基づいて各画像表示領域に割り振られた優先順位およびランクを示す表示レイアウトの概念図である。
【００２９】
画像表示アプリケーション１４内における複数の画像表示領域２０は予め種々の大きさのものが用意されており、反応情報４０（最新のコメント４０Ａ）に基づいて、取得した画像２１がどの大きさの画像表示領域２０に割り振られるかが決定される。画像表示領域２０には、例えば、ユーザー自らサーバー９に投稿したケーキの画像２１ａが表示されている。このケーキの画像２１ａを見たユーザーからの反応数３０Ａが、例えば「コメント８」として表示されている。また、最新のコメント４０Ａがあるため、最新のコメント４０Ａと対応するアバター画像３０Ｂが表示され、同時に他の画像表示領域２０の大きさに比べ大きく優先順位が高い画像表示領域２０ａ（図３（ｂ）参照）に表示されている。即ち、投稿した画像２１の中で、ユーザーからの注目度が高い画像２１を画像表示領域２０内で強調することにより、ユーザーに視覚的に表現することが可能である。一方、鳥の画像２１ｂでは、最新のコメントが到着しておらず、最新のコメント４０Ａがついている他の画像が二つ存在するため、優先順位３の画像表示領域２０ｂ（図３（ｂ）参照）に表示されている。したがって、鳥の画像２１ｂでは、反応数３０Ａが、例えば「コメント１０」と表示されているのみであり、また、ケーキの画像２１ａに比べてやや小さな画像２１として表示されている。
【００３０】
画像表示領域２０には、制御部２によって、反応情報４０（最新のコメント４０Ａ）、付加情報３０が与えられる（図３（ａ）参照）。付加情報３０は、反応情報４０に対応する形で予め記憶部４に記憶されている。もちろん、反応情報４０に基づいて制御部２が、生成、算出してもよい。また、本実施形態においては、各画像表示領域２０には、優先順位（優先番号）、ランク、画像表示領域２０の大きさおよび位置等が付与されている。画像表示領域２０ａでは、例えば、「優先順位１、ランクＡ、画像表示領域２０の大きさは大」である。また、画像表示領域２０ｂでは、例えば、「優先順位３、ランクＢ、画像表示領域２０の大きさは中」である。さらに画像表示領域２０ａ、画像表示領域２０ｂの各々に対し、その位置が割り振られている。制御部２は、画像表示領域２０の優先順位を参照しつつ、適合する画像２１に対する反応情報４０をも参照して、画像表示領域２０内に適合する画像２１と共に、反応情報４０、付加情報３０を表示する。画像表示領域２０の優先順位、ランク、大きさおよび位置については後に詳細に説明する。
【００３１】
図４は、複数のコメント内容が表示可能であることを示す概念図である。着信されている最新のコメント４０Ａを含むコメント（反応情報）を見たいときは、画像２１をタップすることで、図４に示されるように、複数のコメントが表示され、スクロールすることが可能である。また、反応数３０Ａやアバター画像３０Ｂを付与することにより、どのユーザーが特に気に入ってくれたかを知ることも可能である。
【００３２】
以上説明したように、本実施形態では、表示部６に単に画像２１を表示するのではなく、画像２１に関する反応情報４０、付加情報３０も付与して表示する。さらに画像表示領域２０の大きさや位置を加味した画像表示領域２０の優先順位を参照しつつ、適切な優先順位を持つ画像２１を当該画像表示領域２０に表示させている。このことにより、画像表示領域２０はウィジェットとして機能を発揮し、投稿した画像２１の能動的な使い方が可能となる。ガジェット、ディスクトップツールとも呼ばれるウィジェットは、カレンダーやメモ帳、地図、最新ニュース表示、等で代表されているが、本発明の画像表示領域２０は、画像表示アプリケーション１４内に表示できるアプリケーションソフトでもある。そして、投稿した画像２１をウィジェットとして表示させ、ＶＣ（ビジュアルコミュニケーション）を促進するため、ＶＣウィジェットと呼んでおり、画像表示に特化したウィジェット（待ち受け画像に配置される画像表示アプリケーション等）と言える。また、心を動かす画像（映像）２１等をどんどん撮れ、心を動かした画像２１等を、簡単に見られ表現できると共に、ユーザーに容易に伝達できて共有することできるビジュアルコミュニケーションを備える画像処理装置１を提供することが可能である。
【００３３】
尚、画像２１に反応情報４０、付加情報３０を付与するにあたって、一般的には図示したように画像２１上に反応情報４０（例えば最新のコメント４０Ａ）の全体を重畳させて表示するが、画像２１上に反応情報４０、付加情報３０の一部のみを重畳させて表示してもよい。また、画像２１に隣接した位置に反応情報４０、付加情報３０を表示してもよい。
【００３４】
次に、画像表示領域２０に配置される各画像２１および付加情報３０の判断基準となるテーブルについて、図５から図７を基に説明する。
【００３５】
図５（ａ）は、画像の優先番号を決める条件の一例を示す優先番号テーブル、（ｂ）は、各画像表示領域２０のランクにより表示される付加情報の種類の一例を示すランクテーブルである。
【００３６】
記憶部４に記憶されている優先番号テーブル６０は、画像２１の優先番号とその条件を定めたものである。このテーブルを参照し、自分が投稿した複数の画像２１の中から、制御部２は、前回反応情報（コメント）４０を取得した以後に最新のコメント４０Ａ等が付いた画像２１を最優先の画像と判断し、テーブルに従った優先番号を決定する。説明を分かり易くするために、最優先画像の符号を２１１とする。そして、最優先画像２１１の優先番号を優先番号１とする。また、今回、反応情報４０を取得する際、前回反応情報報４０を取得した時から時間が経過しているため、その間に他の画像２１１にも最新のコメント４０Ａが来ている場合があり、例えば、最新のコメント４０Ａの取得日時が遅い方から順に並び替えることも可能である。そして、優先番号１の画像２１１が複数ある場合は、制御部２は、複数の画像２１１の中から、所定の規則に従った（例えば最新のコメントの取得日時が遅い順位）優先番号を付与する。すなわち、制御部２は、特定の画像２１について、その反応情報および他の画像に対する反応情報から、特定の画像２１の優先番号を決定する。
【００３７】
次に、最優先画像２１１は除いて、制御部２は、最近自分が投稿した画像２１（画像２１２）の中で未読コメント４０Ａ等がある画像２１２の優先番号を優先番号２とする。最優先画像２１１と同様に、複数の優先番号２の画像２１２がある場合は、最新のコメント４０Ａの取得日時が遅い方から順に並び替えて、優先番号を付与することも可能である。以後、後述する優先番号３〜も同様である。
【００３８】
そして、制御部２は、最近自分が投稿した画像２１（画像２１３）の中で未読コメント等がない画像２１３の優先番号を優先番号３とする。この画像２１３には、優先番号１の画像２１１と優先番号２の画像２１２及び後述する優先番号４の画像２１４は除かれる。優先番号３の画像２１３が複数ある場合は、反応数３０Ａの多い順から並び替えて、優先番号を付与することも可能である。また、画像表示アプリケーション１４には形成される画像表示領域２０の数に限りがあるため、優先番号１〜４の画像２１１〜２１４は、画像表示アプリケーション１４に埋まるだけの画像数となる。
【００３９】
次に制御部２は、優先番号１及び優先番号２の画像２１１、２１２を除いて、最近１年以内に自分が投稿した画像２１の中で、最もコメント等の数が多い画像２１４が１枚、優先番号４として抽出する（いわゆるチャンピオン画像）。表示するかしないかの優先度は、優先番号３よりも高くて良く、表示位置は最も優先度が低い位置に配置しても良い。また、すでに表示されている画像２１１〜２１４では画像表示アプリケーション１４が埋まらない場合は、ダミー画像などの規定画像を優先番号５として表示しても良い。そして、優先番号テーブル６０に列挙された優先番号や条件は、一例であり、数番号や段階、条件内容に限定されない。更に、ユーザーが自分で投稿した画像２１の中から自由に選択可能であり、自由に選択した画像２１で優先番号を割り振ることも可能である。
【００４０】
以上のように決定された各画像２１の優先番号と、各画像表示領域２０に付与された優先順位（図３（ｂ）参照）を参照することにより、制御部２は、画像２１を所定の画像表示領域２０に配置するとともに、対応する反応情報４０および付加情報３０をも画像表示領域２０に配置する。既に述べたように、画像２１に反応情報４０、付加情報３０を付与するにあたって、一般的には画像２１上に反応情報４０（例えば最新のコメント４０Ａ）の全体を重畳させて表示するが、画像２１上に反応情報４０、付加情報３０の一部のみを重畳させて表示してもよい。また、画像２１に隣接した位置に反応情報４０、付加情報３０を表示してもよい。さらに、実施形態のように反応情報４０および付加情報３０の双方を必ずしも表示させる必要はなく、反応情報４０または付加情報３０の少なくともいずれかを表示してもよい。
【００４１】
記憶部４に記憶されているランクテーブル６１（図５（ｂ）参照）は、各画像表示領域２０に予め付与されたランクと表示条件である画像２１に付加される反応情報４０および付加情報３０の数（種類）を示している。ランクは、例えば、Ａ、Ｂ、Ｃの３段階であり、制御部２は、ランクＡの画像表示領域２０ではアイコン３０Ｃと反応数３０Ａとアバター画像３０Ｂと最新のコメント４０Ａ（三つの付加情報と一つの反応情報）を同時に表示し、ランクＢの画像表示領域２０では、アイコン３０Ｃと反応数３０Ａ（二つの付加情報）を表示し、ランクＣの画像表示領域２０では、アイコン３０Ｃのみ（一つの付加情報）を表示する。ランクテーブル６１に示されたランクや表示条件は、一例であり、ランクはＡ、Ｂの２段階でもそれ以上の段階でも良く、表示条件を、Ａ＝アイコン＋反応数、Ｂ＝アイコン、Ｃ＝表示無し、としても良く、特に限定されない。
【００４２】
図６は、図５のランクテーブル６１に基づくランク毎の表示内容の一実施形態を示す概念図で、（ａ）は、ランクＡの画像表示領域２０、（ｂ）は、ランクＢの画像表示領域２０、（ｃ）は、ランクＣの画像表示領域２０である。
【００４３】
図６（ｃ）に示すランクＡの画像表示領域２０では、反応情報４０および付加情報３０のほとんどがそれに対応する画像２１と共に画像表示領域２０内に表示されている。表示されている付加情報３０は、未読状態等を示すアイコン３０Ｃと、コメント数やお気に入り数等の反応数３０Ａと、表示されているコメント４０Ａ（反応情報４０）を投稿したユーザーのアバター画像３０Ｂである。尚、図６（ａ）の例では画像固有情報５０としての撮影日時も表示されている。図６（ｂ）に示すランクＢの画像表示領域２０では、アイコン３０Ｃと反応数３０Ａが画像２１と共に表示され、図６（ｃ）に示すランクＣの画像表示領域２０では、アイコン３０Ｃと画像２１のみが表示されている。また、より視覚的に判断しやすいように、各画像表示領域２０は、ランク毎に大きさも異なっている。この実施形態では、大きさは、ランクＡ＞ランクＢ＞ランクＣの関係にある。
【００４４】
この様に、各画像表示領域２０の大きさの変更と共に、ランクに応じて各画像表示領域２０に表示される反応情報４０および／または付加情報３０の種類（数を含む）を変更して表示することにより、画像表示アプリケーション１４の限られた表示スペースの中で、ユーザーが優先的に見たいであろう情報を効率的に表示することが可能となる。また、ユーザーの反応等を素早く簡易に確認することができ、画像２１を用いたビジュアルコミュニケーションの活性化が期待できる。
【００４５】
図７は、画像表示領域２０の表示位置、大きさ、優先順位、ランクの一例を示すレイアウトテーブル６２である。
【００４６】
記憶部４に記憶されているレイアウトテーブル６２は、図面右側に画像表示領域の優先順位と優先順位に対応したランクを示し、左側に表示位置であるＸ座標とＹ座標を示し、中央に画像表示領域２０の大きさである横幅と高さを示している。例えば、図５（ａ）の優先番号１の画像２１は、ランクテーブル６１のランクＡであり、レイアウトテーブル６２における優先順位１の画像表示領域２０内に配置される。優先順位１の画像表示領域２０の表示位置は、レイアウトテーブル６２によると（Ｘ，Ｙ）＝（０，０）であり、大きさ（画像サイズ）は３６０×２７０となっている。そして、優先順位により画像表示領域２０の表示位置および大きさが異なり、ランクも異なっている。レイアウトテーブル６２に示された値は、一例であり、特にこの値に限定されない。
【００４７】
図８は、画像表示領域２０のレイアウト表示の実施例を示す概念図で、（ａ）は実施例１、（ｂ）は実施例２、（ｃ）は実施例３である。
【００４８】
図７のレイアウトテーブル６２の値は一例であるが、この値を変更することにより、画像表示アプリケーション１４内の画像表示領域２０の表示レイアウトを変更することが可能である。図８（ａ）は、付加情報３０で表した画像表示領域２０である。図３（ｂ）と比較して、優先順位の高い画像表示領域２０を中央よりに寄せ、各画像表示領域２０を縦横方向に整列させている。また、更新ボタン１４ａ、設定ボタン１４ｂ、カメラボタン１４ｃも同時に表示している。図８（ｂ）は、各画像表示領域２０間が隙間の内容に敷き詰めて表示している。また、図８（ｃ）は、各画像表示領域２０が重なり合うように表示している。
【００４９】
サーバー９に投稿した画像２１と画像２１に対するユーザーの反応を示す反応情報３０とを取得して、表示部６に画像２１と反応情報３０とを表示することにより、投稿した画像２１とそれに対するユーザーの反応を容易に把握することが可能である。特に、注目画像２１の配置される画像表示領域２０の大きさや位置、及び、反応情報３０の表示方法を考慮することにより、メリハリのある表示レイアウトが可能となり、ユーザーが心を動かした注目画像２１を共有できる。また、ユーザーの反応がどのぐらいであったかを視覚的、直感的に分かりやすく表示でき、限られたスペースの画像表示アプリケーション１４内に効率的に画像表示領域２０を表示できる。そして、画像２１を中心としたウィジェットが活用でき、ビジュアルコミュニケーションの活性化が可能である。
【００５０】
上述の優先番号テーブル６０、ランクテーブル６１、レイアウトテーブル６２は、記憶部４に記憶されていることを説明したが、その場でランダムに生成しても良い。また、画像表示領域２０の大きさは、優先順位やランクにより設定され、優先度の高い画像２１を配置する画像表示領域２０ほど、より大きい大きさで表示することを説明した。この方法に限らず、表示レイアウトによっては、それ以外の基準により優先順位やランク等を決定しても良い。更に、画像表示領域２０に画像２１を配置することを述べたが、画像２１に他のメディアが付随されていても良く、音声など直接表示できないメディアを利用する場合は、音声であることを示すアイコン等を表示しても良い。
【００５１】
図９〜図１１に基づいて画像表示アプリケーション１４内の各画像表示領域２０の表示レイアウト、画像の配置等の手順について説明する。図９は、画像表示アプリケーション１４の表示更新処理の一例を示すフローチャート図である。
【００５２】
投稿してある画像２１が登録されている各サーバー９から、画像２１と、画像固有情報５０と、画像２１に関するユーザーの反応情報４０を通信部７で受信して取得する（ステップＳ２０）。そして制御部２は、記憶部４に記憶されているレイアウトテーブル６２を参照して、画像表示アプリケーション１４内の各画像表示領域２０の表示レイアウトに、優先順位およびランクを割り当てる（ステップＳ２１）。次に、制御部２は、取得された反応情報４０に基づいて、記憶部４に記憶されている優先番号テーブル６０、ランクテーブル６１を参照して解析し、各画像２１の優先番号を決定し、各画像表示領域２０の優先順位およびランクを参照しつつ、決定された優先番号に従って、画像２１を配置する（ステップＳ２２）。この配置の手順に関しては、図１０で詳述する。そして、制御部２は、ランクテーブル６１を参照して、各画像表示領域２０のランクに応じた付加情報４０を作成する（ステップＳ２３）。次に、制御部２は、画像２１と、反応情報４０と、付加情報３０の表示を更新する（ステップＳ２４）。必要に応じて、画像固有情報５０も表示される。
【００５３】
図１０は、各画像表示領域２０に配置される画像２１の画像抽出・配置処理の一例を示すフローチャート図である。
【００５４】
制御部２は、サーバー９から取得した反応情報３０から記憶部４に記憶されている優先番号テーブル６０の優先番号１の条件（フローチャートの条件１に相当）に一致する画像２１を抽出して、並び替える（ステップＳ３０）。次に、優先番号１の条件に一致する画像２１について各画像表示領域２０に配置処理を行う（ステップＳ３１）。この配置処理に関しては、図１１で詳述する。そして、制御部２は、画像表示領域２０に空きがあるか否かを判断する（ステップＳ３２）。画像表示領域２０に空きがあると判断した場合（ステップＳ３２がＹ）、制御部２は、サーバー９から取得した反応情報４０から優先番号テーブル６０の優先番号２の条件に一致する画像２１を抽出して、並び替える（ステップＳ３３）。優先番号２の条件とは、フローチャートの条件２のことである。画像表示領域２０に空きが無いと判断した場合（ステップＳ３２がＮ）、処理を終了する。即ち、優先番号１の条件に一致する画像２１が複数有り、複数の画像２１で画像表示領域２０が全て埋まってしまう場合は、処理を終了する。
【００５５】
次に、優先番号２の条件に一致する画像２１について各画像表示領域２０に配置処理を行う（ステップＳ３４）。この配置処理に関しては、図１１で詳述する。そして、制御部２は、画像表示領域２０に空きがあるか否かを判断する（ステップＳ３５）。画像表示領域２０に空きがあると判断した場合（ステップＳ３５がＹ）、制御部２は、サーバー９から取得した反応情報３０から優先番号テーブル６０の優先番号４の条件に一致する画像２１を抽出する（ステップＳ３６）。優先番号４の条件とは、フローチャートの条件４のことである。画像表示領域２０に空きが無いと判断した場合（ステップＳ３５がＮ）、処理を終了する。
【００５６】
更に、制御部２は、画像表示領域２０の空き数が、（優先番号４の条件に一致する画像２１の数＋１）以上であるか否かを判断する（ステップＳ３７）。画像表示領域２０の空き数が、（優先番号４の条件に一致する画像２１の数＋１）以上であると判断した場合（ステップＳ３７がＹ）、制御部２は、サーバー９から取得した反応情報３０から優先番号テーブル６０の優先番号３の条件に一致する画像２１を抽出して、並び替える（ステップＳ３８）。優先番号３の条件とは、フローチャートの条件３のことである。そして、優先番号３の条件に一致する画像２１について各画像表示領域２０に配置処理を行う（ステップＳ３９）。この配置処理に関しては、図１１で詳述する。また、画像表示領域２０の空き数が、（優先番号４の条件に一致する画像２１の数＋１）以上でないと判断した場合（ステップＳ３７がＮ）、ステップＳ３８とステップＳ３９をスキップする。このことは、優先番号４の画像２１を配置する画像表示領域２０が必ず確保されることを意味する。次に、優先番号４の条件に一致する画像２１について各画像表示領域２０に配置処理を行う（ステップＳ４０）。この配置処理に関しては、図１１で詳述する。最後に、これまでのステップを経ても埋まらない画像表示領域２０がある場合は、フローチャートの条件５として、例えば、優先番号の最も小さい画像２１（優先番号：５）を選択し、画像未配置の画像表示領域２０に配置する（ステップＳ４１）。図５（ａ）に示すようにダミー画像のような既定の画像を配置してもよい。
【００５７】
尚、図５（ａ）に示す優先番号テーブル６０が変更されれば、図１０のフローチャート図も変更される。例えば、図５（ａ）の画像２１の優先番号が１０まで増えた場合、当然フローチャート図のステップ数は増加する。
【００５８】
図１１は、図１０のステップＳ３１、Ｓ３４、Ｓ３９、Ｓ４０における配置処理の一例を示すフローチャート図である。この例では、優先番号が各々付与された画像２１のリストが予め用されているものと仮定する。
【００５９】
例えば、図１０のステップＳ３１においては、制御部２は、画像表示領域２０に空きがあり、サーバー９から取得した画像２１の中で未配置の画像２１があるか否かを判断する（ステップＳ５０）。未配置の画像２１がある場合（ステップＳ５０がＹ）、未配置画像２１のうち優先番号１の画像２１を空いている画像表示領域２０のうち最も優先順位の高い場所に配置する（ステップＳ５１）。優先番号１の画像２１が複数存在する場合は、所定の優先度に従って（図５（ａ）では最新のコメント日時が遅い順）、優先順位の高い画像表示領域２０から配置していく。この処理を付け加えることにより、画像表示アプリケーション１４内の全ての画像表示領域２０に画像２１が収まることになる。図１０のステップＳ３４およびＳ３９においても、優先番号２および３の画像２１について同様な処理が行われる。
【００６０】
図１０のステップＳ４０は優先場号４の画像２１、いわゆるチャンピオン画像の配置であり、ステップＳ３７〜Ｓ３９を経て少なくとも一枚の優先番号４の画像２１が、優先番号１〜３の画像２１に次ぐ優先順位の画像表示領域２０に配置される。
【００６１】
図１２および図１３の概念図に基づいて、その他の変形例を説明する。
【００６２】
図１２（ａ）は、付加情報３０の一つである太枠３０Ｄの使用例である。反応数３０Ａが多い画像２１が配置された画像表示領域２０を太枠３０Ｄで囲み、他の画像表示領域２０との相違をより明確にする。太枠３０Ｄでなく別の色枠にしても良く、枠を点滅等しても良い。図１２（ｂ）は、付加情報３０の一つであるアニメーション３０Ｅの使用例である。ランクＡの画像２１が配置された画像表示領域２０内にアニメーション３０Ｅを表示し、より視覚的に他の画像表示領域２０との相違を明確にする。尚、アニメーション３０Ｅは、画像表示領域２０からはみ出しても良い。この変形例に示されたように、付加情報３０である太枠表示やアニメーション表示等、付加情報の種類を変化させて各画像表示領域２０の表示態様を変化させることが可能である。また、最新のコメント４０Ａ、反応数３０Ａ、アイコン３０Ｃ等の枠を太枠にしたり、枠のサイズをより大きくしたりしても良い。注目の画像２１に対して、他の画像２１に比較して視覚的に強調させることにより、自分の心を動かした、例えば画像２１等を共有し、それを基に他者や未来の自分との絆を結ぶ、ビジュアルコミュニケーションの活性化が図れる。
【００６３】
図１２（ｃ）は、表示更新の変形例１を示す概念図である。図９の表示更新処理で、表示内容を切り替え、更新する際、一旦、表示内容を消去した後、ランクの高い方から順番に表示する。（１）では、ランクＡの画像が表示され、その１秒後に（２）ではランクＡの画像に加えてランクＢの画像が表示され、その１秒後に（３）ではランクＡおよびＢの画像に加えてランクＣの画像が表示されている。ランクの高い画像２１から表示されることにより、ユーザーは視覚的にどの画像２１に人気があるかを容易に見つけることができる。
【００６４】
図１３（ａ）は、画像表示アプリケーション１４の表示サイズの変形例１で、（ｂ）表示サイズの変形例２である。
【００６５】
画像表示アプリケーション１４の表示サイズは、変更可能である。図１３（ａ）は、表示画面１２一杯に画像表示アプリケーション１４が表示されていることを示している。図１３（ｂ）は、表示画面１２に複数のアプリケーションアイコン１５等が表示されているアプリ部１６が占有し、画像表示アプリケーション１４は、表示画面１２の上部片側に小さく表示されている。この様に、画像表示アプリケーション１４の表示サイズは、画像処理装置１の用途に合わせて大きさを自由に変更できる。その際、画像表示アプリケーション１４の表示サイズに合わせて、各画像表示領域２０の大きさや表示数、ランクの振り分け方等を動的に変更することも可能である。
【００６６】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００６７】
本発明に係る画像処理装置、画像処理装置の画像処理方法、及び画像処理プログラムは、画像を中心としたウィジェットを活用したビジュアルコミュニケーションの携帯端末やＰＣ等の用途に適用可能である。
【符号の説明】
【００６８】
１：画像処理装置
２：制御部
３：撮影部
４：記憶部
５：入力部
６：表示部
７：通信部
８：通信網
９：サーバー
１４：画像表示アプリケーション
２０：画像表示領域
２１：画像
３０：付加情報
３０Ａ：反応数
３０Ｂ：アバター画像
３０Ｃ：アイコン
３０Ｄ：太枠
３０Ｅ：アニメーション
４０：反応情報
４０Ａ：最新のコメント
５０：画像固有情報
６０：優先番号テーブル
６１：ランクテーブル
６２：レイアウトテーブル
【図１】
2014071480.tif 000003
【図２】
2014071480.tif 000004
【図３】
2014071480.tif 000005
【図４】
2014071480.tif 000006
【図５】
2014071480.tif 000007
【図６】
2014071480.tif 000008
【図７】
2014071480.tif 000009
【図８】
2014071480.tif 000010
【図９】
2014071480.tif 000011
【図１０】
2014071480.tif 000012
【図１１】
2014071480.tif 000013
【図１２】
2014071480.tif 000014
【図１３】
2014071480.tif 000015